(57)【要約】      （修正有）【課題】ウエスト開口縁側がめくれることを防止することができる使い捨て着用物品を提供する。【解決手段】使い捨ておむつは、横方向Ｘおよび縦方向Ｙを有し、前ウエスト域１３と、後ウエスト域と、クロッチ域と、クロッチ域から前ウエスト域１３へ延びる、吸収性コア４３を有する吸収シャーシ（吸液構造体）とを有する。前ウエスト域は、内層シートと外層シートと、吸収シャーシの前端縁５３ａと吸収性コアの前端端４３ａとの間に位置する前上方ウエスト弾性体（第２ウエスト弾性体）２７Ａと、第１ウエスト弾性体である伸縮性シート３０によって弾性を有する第１弾性域７１と、伸縮性シートと前上方ウエスト弾性体とによって弾性を有する第２弾性域７２とをさらに有する。第２弾性域の横方向Ｘにおける伸長応力が、第１弾性域の横方向Ｘにおける伸長応力よりも大きい。【選択図】図３
2018083077.tif 000002
【特許請求の範囲】
【請求項１】
横方向および縦方向を有し、前ウエスト域と、後ウエスト域と、前記前後ウエスト域間に位置するクロッチ域と、前記クロッチ域から前記前ウエスト域へ延びる、吸収性コアを有する吸液構造体と、ウエスト開口とを含む使い捨て着用物品において、
前記前ウエスト域は、繊維不織布で形成された少なくとも２枚のシートと、少なくともウエスト開口縁に位置する第１ウエスト弾性体と、前記吸液構造体の前端縁と前記吸収性コアの前端端との間に位置する第２ウエスト弾性体と、前記第１ウエスト弾性体である前記伸縮性シートによって弾性を有する第１弾性域と、前記第１ウエスト弾性体と前記第２ウエスト弾性体とによって弾性を有する第２弾性域とをさらに有し、
前記第１弾性域は、前記ウエスト開口縁と前記吸液構造体の前記前端縁との間に位置し、
前記第２弾性域は、前記第１弾性域の前記クロッチ域側に位置し、
前記第２弾性域の前記横方向における伸長応力が、前記第１弾性域の前記横方向における伸長応力よりも大きいことを特徴とする着用物品。
【請求項２】
前記第２弾性域は、前記横方向へ延びる複数条の糸状またはリボン状の第２ウエスト弾性体によって画成してある請求項１に記載の着用物品。
【請求項３】
前記前ウエスト域は、前記縦方向へ延びる第１部分と、前記第１部分よりも剛性が小さくて前記第１部分から外れた第２部分とを有する請求項１または２に記載の着用物品。
【請求項４】
前記第１部分は、２枚の前記シートの少なくとも一方と前記伸縮性シートとを固定した部分であり、
前記第２部分は、２枚の前記シートと前記伸縮性シートとを固定していない部分であり、
前記第１部分は前記横方向へ間隔をあけて配置してあり、２つの前記第１部分の間には前記第２部分が位置する請求項３に記載の着用物品。
【請求項５】
前記第１部分は、前記縦方向において間隔をあけて配置してある請求項３または４に記載の着用物品。
【請求項６】
前記前ウエスト域は、前記横方向の中央に位置する中央域と、前記中央域の前記横方向の両側に位置する両側域とを有し、
前記横方向における前記両側域の前記第１部分の間隔が、前記中央域の前記第１部分の間隔よりも大きい請求項４に記載の着用物品。
【請求項７】
前記伸縮性シートは、前記前ウエスト域の前記横方向の中央に位置するシート中央域と、前記前ウエスト域の前記横方向の両側に位置するシート両側域とを有し、前記シート中央域の伸長応力が、前記シート両側域の伸長応力よりも小さくなるように前記シート中央域に応力低減部を有する請求項１〜５のいずれかに記載の着用物品。
【請求項８】
前記伸縮性シートと前記シートとが前記縦方向へ延びる固定部によって互いに固定され、
前記前ウエスト域の前記ウエスト開口縁には、前記固定部が存在しない非存在域を形成してある請求項４に記載の着用物品。
【請求項９】
前記吸液構造体は、肌対向面側に位置する内面シートと、非肌対向面側に位置する外面シートとを有し、
前記吸液構造体の前記前端縁と前記吸収性コアの前記前端縁との間には、前記内面シートおよび前記外面シートによって形成される前フラップが位置し、
複数条の前記第２ウエスト弾性体のうち前記縦方向における最も前記ウエスト開口縁に近接する前記第２ウエスト弾性体と、前記吸液構造体の前記前端縁との間が離隔している請求項２に記載の着用物品。
【請求項１０】
前記前ウエスト域は、前記吸収性コアの前記前端縁の前記ウエスト開口縁側に隣接する第１弾性体と、前記前端縁の前記クロッチ域側に隣接する第２弾性体と、前記第２弾性体の前記クロッチ域側に隣接する第３弾性体とを有し、
前記第１弾性体の収縮力および前記第２弾性体の収縮力が、前記第３弾性体の収縮力よりも小さい請求項１〜９のいずれかに記載の着用物品。
【発明の詳細な説明】
【技術分野】
【０００１】
本発明は、使い捨て着用物品に関する。
【背景技術】
【０００２】
横方向および縦方向を有し、前ウエスト域と、後ウエスト域と、前記前後ウエスト域間に位置するクロッチ域と、前記クロッチ域から前記前ウエスト域へ延びる、吸収性コアを有する吸液構造体と、ウエスト開口とを含む使い捨て着用物品は公知である。例えば、特許文献１には、前ウエスト域を画成するアウターシートが折返部を有し、アウターシートの肌対向面側に位置する部分と、非肌対向面側に位置する部分と、これらの部分の間に位置する糸状の伸縮材（ウエスト弾性体）とを有することが開示されている。
【先行技術文献】
【特許文献】
【０００３】
【特許文献１】特開２０１３−１３８７９５号公報
【発明の概要】
【発明が解決しようとする課題】
【０００４】
特許文献１に開示されている着用物品では、ウエスト開口縁側に糸状のウエスト弾性体が位置しているため、ウエスト弾性体が存在している個所が着用者の肌に強く押し当てられている。しかしながら、着用者が脚を動かしたときに、吸液構造体が縦方向へ移動し、その吸液構造体の移動に伴って、前ウエスト域のウエスト開口縁が縦方向へ移動するおそれがある。ウエスト開口縁が縦方向へ位置ずれした状態で、さらに、着用者が脚を動かしたとき、吸液構造体が縦方向へ移動し、その吸液構造体の移動に伴ってウエスト開口縁が縦方向へ移動し、ウエスト開口縁側がめくれるおそれがあった。
【０００５】
本発明が課題とするところは、ウエスト開口縁側がめくれることを防止することができる着用物品を提供することにある。
【課題を解決するための手段】
【０００６】
前記課題を解決するための本発明は、横方向および縦方向を有し、前ウエスト域と、後ウエスト域と、前記前後ウエスト域間に位置するクロッチ域と、前記クロッチ域から前記前ウエスト域へ延びる、吸収性コアを有する吸液構造体と、ウエスト開口とを含む使い捨て着用物品に関する。
【０００７】
本発明は、前記前ウエスト域は、繊維不織布で形成された少なくとも２枚のシートと、少なくともウエスト開口縁に位置する第１ウエスト弾性体と、前記吸液構造体の前端縁と前記吸収性コアの前端端との間に位置する第２ウエスト弾性体と、前記第１ウエスト弾性体である前記伸縮性シートによって弾性を有する第１弾性域と、前記第１ウエスト弾性体と前記第２ウエスト弾性体とによって弾性を有する第２弾性域とをさらに有し、前記第１弾性域は、前記ウエスト開口縁と前記吸液構造体の前記前端縁との間に位置し、前記第２弾性域は、前記第１弾性域の前記クロッチ域側に位置し、前記第２弾性域の前記横方向における伸長応力が、前記第１弾性域の前記横方向における伸長応力よりも大きいことを特徴とする。
【０００８】
本発明に係る着用物品の実施態様の一つにおいて、前記第２弾性域は、前記横方向へ延びる複数条の糸状またはリボン状の第２ウエスト弾性体によって画成してある。これによって、ウエスト弾性体が存在する箇所において局所的に伸縮力を大きくし、吸液構造体が位置ずれすることを防止することができる。
【０００９】
本発明に係る着用物品の他の実施態様の一つにおいて、前記前ウエスト域は、前記縦方向へ延びる第１部分と、前記第１部分よりも剛性が小さくて前記第１部分から外れた第２部分とを有する。これによって、第２部分よりも剛性の大きい第１部分が縦方向へ延びるため、ウエスト開口縁側が折れ曲がるときに第１部分が抵抗となり、ウエスト開口縁側がめくれるのを防止することができる。
【００１０】
本発明に係る着用物品の他の実施態様の一つにおいて、前記第１部分は、２枚の前記シートの少なくとも一方と前記伸縮性シートとを固定した部分であり、前記第２部分は、２枚の前記シートと前記伸縮性シートとを固定していない部分であり、前記第１部分は前記横方向へ間隔をあけて配置してあり、２つの前記第１部分の間には前記第２部分が位置する。これによって、伸縮性シートが横方向へ収縮することによって第２部分が着用者の肌から離れるように膨らむため、前ウエスト域の肌対向面と、着用者の肌との接触面積を小さくすることができ、ウエスト開口縁側がめくれるのを防止することができる。
【００１１】
本発明に係る着用物品の他の実施態様の一つにおいて、前記第１部分は、前記縦方向において間隔をあけて配置してある。これによって、縦方向において、任意に選択した一つの第１部分と該第１部分に隣接する他の第１部分との間に位置する第２部分において、伸縮性シートの伸縮性が横方向へ連続し、着用物品のフィット性が低下するのを抑えることができる。
【００１２】
本発明に係る着用物品の他の実施態様の一つにおいて、前記前ウエスト域は、前記横方向の中央に位置する中央域と、前記中央域の前記横方向の両側に位置する両側域とを有し、前記横方向における前記両側域の前記第１部分の間隔が、前記中央域の前記第１部分の間隔よりも大きい。これによって、ウエスト開口縁側の中央域がめくれようとする力を抑え、中央域がめくれるのを防止することができる。
【００１３】
本発明に係る着用物品の他の実施態様の一つにおいて、前記伸縮性シートは、前記前ウエスト域の前記横方向の中央に位置するシート中央域と、前記前ウエスト域の前記横方向の両側に位置するシート両側域とを有し、前記シート中央域の伸長応力が、前記シート両側域の伸長応力よりも小さくなるように前記シート中央域に応力低減部を有する。これによって、シート中央域の剛性が、シート両側域の剛性よりも小さいため、満腹時の腹部が膨らんだ状態において、腹部が圧迫されるのを抑えることができ、はき心地を向上することができる。
【００１４】
本発明に係る着用物品の他の実施態様の一つにおいて、前記伸縮性シートと前記シートとが前記縦方向へ延びる固定部によって互いに固定され、前記前ウエスト域の前記ウエスト開口縁には、前記固定部が存在しない非存在域を形成してある。これによって、前ウエスト域のウエスト開口縁の剛性が大きくなるのを抑え、はき心地を向上することができる。
【００１５】
本発明に係る着用物品の他の実施態様の一つにおいて、前記吸液構造体は、肌対向面側に位置する内面シートと、非肌対向面側に位置する外面シートとを有し、前記吸液構造体の前記前端縁と前記吸収性コアの前記前端縁との間には、前記内面シートおよび前記外面シートによって形成される前フラップが位置し、複数条の前記第２ウエスト弾性体のうち前記縦方向における最も前記ウエスト開口縁に近接する前記第２ウエスト弾性体と、前記吸液構造体の前記前端縁との間が離隔している。これによって、複数条の前記ウエスト弾性体のうち前記縦方向における最もウエスト開口縁に近接する前記ウエスト弾性体と、前記吸液構造体の前記前端縁との間が離隔しているため、局所的に剛性の大きい箇所ができるのを防止でき、はき心地を向上することができる。
【００１６】
本発明に係る着用物品の他の実施態様の一つにおいて、前記前ウエスト域は、前記吸収性コアの前記前端縁の前記ウエスト開口縁側に隣接する第１弾性体と、前記前端縁の前記クロッチ域側に隣接する第２弾性体と、前記第２弾性体の前記クロッチ域側に隣接する第３弾性体とを有し、前記第１弾性体の収縮力および前記第２弾性体の収縮力が、前記第３弾性体の収縮力よりも小さい。これによって、吸収性コアの前端縁の近傍が適度な力で着用者の身体に押し当てられ、吸収性コアの前端縁と吸収シャーシの前端縁との間の部分が、身体から離れるように隆起することを防止でき、前ウエスト域が位置ずれすることを防止できる。
【発明の効果】
【００１７】
本発明に係る使い捨て着用物品によれば、前ウエスト域は、ウエスト開口縁と吸液構造体の前端縁との間に位置し、伸縮性シートによって弾性を有する第１弾性域を有するため、伸縮性シートの伸長力によって第１弾性域の全域を着用者の肌に押し当てることができ、第１弾性域が局所的に着用者の肌に押し当てられることを防止できる。これによって、着用者の脚の動作に応じて吸液構造体が縦方向へ移動しても、ウエスト開口縁側に位置する第１弾性域が着用者の肌を滑り、ウエスト開口縁側がめくれることを防止することができる。加えて、第１弾性域よりも伸長応力が大きい第２弾性域が、吸液構造体の前端端と吸収性コアの前端縁との間に位置するため、吸液構造体が縦方向へ移動するのを抑え、着用物品の位置がずれるのを防止することができる。
【図面の簡単な説明】
【００１８】
図面は、本開示に係る本発明の特定の実施の形態を示し、発明の不可欠な構成ばかりでなく、選択的及び好ましい実施の形態を含む。
【図１】本発明に係る使い捨て着用物品（おむつ）の斜視図。
【図２】各弾性体をおむつの縦方向及び横方向に伸長させた状態における、おむつの一部破断展開図。
【図３】前ウエスト域の部分拡大図。
【図４】図３に示すＩＶ−ＩＶ線に沿う断面図。
【図５】後ウエスト域の部分拡大図。
【図６】図５に示すＶＩ−ＶＩ線に沿う断面図。
【図７】第１変形例のおむつの図３と同様の部分拡大図。
【図８】図７に示すＶＩＩＩ−ＶＩＩＩ線に沿う断面図。
【図９】第２変形例のおむつの図３と同様の部分拡大図。
【図１０】第３変形例のおむつの図３と同様の部分拡大図。
【図１１】第４変形例のおむつの図３と同様の部分拡大図。
【図１２】第５変形例のおむつの図４と同様の部分拡大図。
【発明を実施するための形態】
【００１９】
下記の実施の形態は、以下の図面に示す使い捨て着用物品（使い捨ておむつ）に関し、発明の不可欠な構成ばかりではなく、選択的及び好ましい構成を含む。
【００２０】
図１〜図６を参照すると、本発明における使い捨て着用物品の一例である使い捨ておむつ１０は、互いに直交（交差）する横方向Ｘ、縦方向Ｙ、および厚さ方向Ｚと、肌対向面及び肌対向面の反対側に位置する非肌対向面とを有し、ウエスト回り方向へ延びる環状の弾性ウエストパネル１１と、弾性ウエストパネル１１の肌対向面側に取り付けられた吸収シャーシ（吸液構造体）１２と、前ウエスト域１３と、後ウエスト域１４と、前ウエスト域１３および後ウエスト域１４間に位置するクロッチ域１５とを含む。
【００２１】
弾性ウエストパネル１１は、ウエスト回り方向へ伸縮する弾性ベルト機能を有し、前ウエスト域１３を形成する前ウエストパネル１６と、後ウエスト域１４を形成する後ウエストパネル１７とを含む。
【００２２】
前ウエストパネル１６は、内端縁１６ａと、外端縁１６ｂと、内端縁１６ａから外端縁１６ｂへ延びる両側縁１６ｃ，１６ｄとによって画定された略長方形状を有する。後ウエストパネル１７は、内端縁１７ａと、外端縁１７ｂと、外端縁１７ｂから縦方向Ｙの内方へ延びる第１両側縁（後ウエスト域の両側縁）１７ｃ，１７ｄと、第１両側縁１７ｃ，１７ｄから縦方向Ｙの内方へ斜めに延びる第２両側縁１７ｅ，１７ｆとによって画定された略台形状を有する。
【００２３】
互いに対向する前ウエストパネル１６の両側縁１６ｃ，１６ｄと後ウエストパネル１７の第１両側縁１７ｃ，１７ｄとは、互いに重ね合わされ、縦方向Ｙへ断続的に並ぶサイドシーム１８によって連結（例えば、熱エンボス加工、ソニック等による各種の熱溶着手段によって連結）され、ウエスト開口１９と一対のレッグ開口２０とが画定される。
【００２４】
前後ウエストパネル１６，１７は、それぞれ、肌対向面側に位置する内層シート２１，２２と、非肌対向面側に位置する外層シート２３，２４とを含む。内外層シート２１〜２４は、質量１０〜３０ｇ／ｍ２のＳＭＳ（スパンボンド・メルトブローン・スパンボンド）繊維不織布、スパンボンド繊維不織布若しくはエアスルー繊維不織布、または、プラスチックシート、開孔プラスチックシート及びそれらのラミネートシートなどを用いることができる。
【００２５】
外層シート２３，２４は、非肌対向面に位置する主体部２３ａ，２４ａと、主体部２３ａ，２４ａから縦方向Ｙの外側へ延出して肌対向面の一部を画成する延出部２３ｂ，２４ｂと、主体部２３ａ，２４ａと延出部２３ｂ，２４ｂとの間に位置する折曲部２３ｃ，２４ｃとを有している。
【００２６】
前ウエストパネル１６は、内層シート２１と外層シート２３の主体部２３ａとの間に位置し、第１ウエスト弾性体である伸縮性シート３０を有する。伸縮性シート３０は、ウエスト開口縁１９ａからクロッチ域１５側へ延びている。
【００２７】
伸縮性シート３０には、例えば、質量が１０〜４０ｇ／ｍ２、より好ましくは、質量１５〜３０ｇ／ｍ２の弾性繊維（弾性フィラメント）から構成されたスパンボンド不織布、エアスルー不織布、ニードルパンチ不織布等、各種公知の製法によって製造された伸縮性の繊維不織布を用いることができる。弾性繊維は、熱可塑性エラストマーやゴムなどを原料とするものであって、特に熱可塑性エラストマーを原料として用いる場合には、通常の熱可塑性樹脂と同様に押出機を用いた溶融紡糸が可能であり、またそのようにして得られた繊維は熱融着させ易く、伸縮性の繊維不織布として好適である。熱可塑性エラストマーとしては、ＳＢＳ（スチレン・ブタジエン・スチレン）、ＳＩＳ（スチレン・イソプレン・スチレン）、ＳＥＢＳ（スチレン・エチレン・ブタジエン・スチレン）、ＳＥＰＳ（スチレン・エチレン・プロピレン・スチレン）等のスチレン系エラストマー、オレフィン系エラストマー、ポリエステル系エラストマー、ポリウレタン系エラストマーを挙げることができる。これらは、一種を単独で又は二種以上を組み合わせて用いることができる。伸縮性シート３０は、一方向（横方向Ｘ）のみに弾性を示すものでもよく、二方向以上（横方向Ｘおよび縦方向Ｙ）に弾性を示すものでもよい。伸縮性シート３０の横方向Ｘにおける伸長倍率は、１．２〜３．０倍であり、具体的な実施形態では２．５倍である。
【００２８】
前ウエスト域１３は、内層シート２１と外層シート２３の主体部２３ａとの間に位置する中間シート３８を有する。後ウエストパネル１７は、内層シート２２と外層シート２４の主体部２４ａとの間に位置する中間シート３９を有する。
【００２９】
中間シート３８，３９は、不透液性の繊維不織布、不透液性かつ透湿性のプラスチックフィルムまたはそれらのラミネートシートから形成される。中間シート３８，３９には、例えば、動物であるキャラクターの図が描かれ、非肌対向面側からその図が視認可能である。中間シート３８，３９に描かれている図は、各種公知の装飾模様、絵、文字、記号、または／および着色等であってもよい。
【００３０】
前ウエスト域１３の縦方向Ｙにおいて、伸縮性シート３０の内端縁３０ａと中間シート３８の外端縁３８ａとが離隔するように伸縮性シート３０および中間シート３８を配置してある（図４参照）。より具体的には、縦方向Ｙにおいて、伸縮性シート３０の内端縁３０ａと、中間シート３８の外端縁３８ａとが、離隔寸法Ｌ２を有するように配置してある。離隔寸法Ｌ２は、好ましくは、例えば、１．０〜１５．０ｍｍであり、好ましくは５．０〜１０．０ｍｍである。
【００３１】
前後ウエストパネル１６，１７の内層シート２１，２２と外層シート２３，２４との間には、糸状又はリボン状の複数条の前ウエスト弾性体（第２ウエスト弾性体）２７および後ウエスト弾性体２８が横方向Ｘへ伸縮可能にそれぞれ配設され、前後ウエストパネル１６，１７は少なくとも横方向Ｘへ弾性化されている。
【００３２】
前ウエスト弾性体２７は、ウエスト開口縁１９ａに沿って横方向Ｘへ延び、伸縮性シート３０と重なる前上方ウエスト弾性体２７Ａと、前上方ウエスト弾性体２７Ａと内端縁１６ａとの間において横方向Ｘへ延び、伸縮性シート３０と重ならない前下方ウエスト弾性体２７Ｂとを有する。後ウエスト弾性体２８は、ウエスト開口縁１９ａに沿って横方向Ｘへ延びる後上方ウエスト弾性体２８Ａと、後上方ウエスト弾性体２８Ａと内端縁１７ａとの間において横方向Ｘへ延びる後下方ウエスト弾性体２８Ｂとを有する。
【００３３】
後下方ウエスト弾性体２８Ｂは、後ウエスト域１４の中央部においてその一部が切断又は除去されており、後非伸縮域３７が画定される。このように、後非伸縮域３７が後ウエスト域１４の中央部に位置することから、後ウエストパネル１７の内面に位置する吸収シャーシ１２の中央部（吸収性コア４３の中央部）に後下方ウエスト弾性体２８Ｂの収縮力が直接作用されてギャザー等が形成されないので、その収縮力が作用することによる吸収性能の低下を抑制することができる。
【００３４】
前ウエスト弾性体２７および後ウエスト弾性体２８としては、例えば、繊度が３５０〜１２４０ｄｔｅｘであって，１．５〜３．５倍に伸長された状態で配設された糸状又はリボンの弾性材料を用いることができる。前ウエスト弾性体２７および後ウエスト弾性体２８の繊度、伸長倍率、各弾性体間の離隔寸法（ピッチ）等の条件は適宜変更することが可能であるが、着用者の身体に安定的に着用されるために、前後上方ウエスト弾性体２７Ａ，２８Ａによる伸縮域の伸長力が、前後下方ウエスト弾性体２７Ｂ，２８Ｂによる伸縮域のそれよりも大きくなるように各弾性体の条件を設定することが好ましい。
【００３５】
前ウエスト域１３において、複数条の前上方ウエスト弾性体２７Ａのうち縦方向Ｙにおける最もウエスト開口縁１９ａに近接する前上方ウエスト弾性体２７ａと、吸収シャーシ１２の前端縁５３ａとの間が離隔している（図４参照）。本実施形態では、前上方ウエスト弾性体２７ａと、吸収シャーシ１２の前端縁５３ａとの間は、離隔寸法Ｌ１を有している。離隔寸法Ｌ１は、例えば、１．０〜２０．０ｍｍであり、好ましくは５．０〜１０．０ｍｍである。
【００３６】
前ウエスト域１３において、複数条の前下方ウエスト弾性体２７Ｂのうち縦方向Ｙにおける最もウエスト開口縁１９ａに近接する前下方ウエスト弾性体２７ｂは、伸縮性シート３０と中間シート３８，３９とが離隔している領域に配置してある。
【００３７】
前ウエスト域１３の内外層シート２１，２３と後ウエスト域１４の内外層シート２２，２４とは、それらの内面にホットメルト接着剤は塗布されておらず、サイドシーム１８による接合部分を除き、それぞれ、前ウエスト弾性体２７および後ウエスト弾性体２８に塗布されたホットメルト接着剤等の接着剤を介してのみ互いに接合される。ホットメルト接着剤は、前ウエスト弾性体２７および後ウエスト弾性体２８の全周において、内外層シート２１〜２４と対向する部分に塗布されていればよい。
【００３８】
外層シート２３，２４の延出部２３ｂ，２４ｂと吸収シャーシ１２とは、それらの内面に塗布されたホットメルト接着剤等の接着剤６１ａ，６１ｂによって固定される（図４および図６参照）。吸収シャーシ１２と内層シート２１，２２とは、それらの内面に塗布されたホットメルト接着剤等の接着剤６２ａ，６２ｂによって固定される（図４および図６参照）。内層シート２１，２２と中間シート３８，３９とは、それらの内面に塗布されたホットメルト接着剤等の接着剤６３ａ，６３ｂによって固定される（図４および図６参照）。前ウエスト域１３において、伸縮性シート３０と外層シート２３の主体部２３ａとは、それらの内面に塗布されたホットメルト接着剤等の接着剤（固定部）６４ａによって固定される（図４参照）。前ウエスト域のウエスト開口縁１９ａには、接着剤（固定部）６４ａが存在しない非固定域６５を形成してある。
【００３９】
前ウエスト域１３は、図３に示すように、伸縮性シート３０のみによって形成された横方向Ｘへ弾性を有する第１弾性域７１と、伸縮性シート３０と前上方ウエスト弾性体２７Ａとによって横方向Ｘへ弾性を有する第２弾性域７２と、前下方ウエスト弾性体２７Ｂのみによって形成された横方向Ｘへ弾性を有する第３弾性域７３とを有する。
【００４０】
第１弾性域７１は、ウエスト開口縁１９ａと吸収シャーシ１２の前端縁５３ａとの間に位置する。第２弾性域７２は、第１弾性域７１のクロッチ域１５側に位置する。第３弾性域７３は、第２弾性域７２のクロッチ域１５側に位置する。第１弾性域７１および第２弾性域７２の構成によって、第２弾性域７２の横方向Ｘにおける伸長応力は、第１弾性域７１の横方向Ｘにおける伸長応力よりも大きい。
【００４１】
前ウエスト域１３の横方向Ｘにおける所定幅の伸長応力は、具体的には、第１弾性域７１が０．０１〜０．０４Ｎ／ｍｍ（０．０１以上であって０．０４Ｎ／ｍｍより小）であり、第２弾性域７２が０．０４〜０．１０Ｎ／ｍｍ（０．０４以上であって０．１０Ｎ／ｍｍより小）であり、第３弾性域７３が０．０１〜０．０５Ｎ／ｍｍ（０．０１以上であって０．０５Ｎ／ｍｍより小）である。具体的な実施形態では、例えば、第１弾性域７１の幅（縦方向Ｙの長さ寸法）が２５ｍｍであって伸長応力が０．３８９Ｎであるため単位長さ（幅）あたりの伸長応力が０．０１６Ｎ／ｍｍであり、第２弾性域７２の幅（縦方向Ｙの長さ寸法）が２０ｍｍであって伸長応力が０．８９３Ｎであるため単位長さ（幅）あたりの伸長応力が０．０４５Ｎ／ｍｍであり、第３弾性域７３の幅（縦方向Ｙの長さ寸法）が６０ｍｍであって伸長応力が１．３７８Ｎであるため単位長さ（幅）あたりの伸長応力が０．０２２Ｎ／ｍｍである。
【００４２】
図２及び３を参照すると、吸収シャーシ１２は、前後ウエストパネル１６，１７の肌対向面に取り付けられた前後端部１２Ａ，１２Ｂと、少なくともクロッチ域１５において縦方向Ｙへ延びる吸収性コア４３と、吸収性コア４３の肌対向面側に位置する親水性の繊維不織布から形成された透液性の身体側ライナ（トップシート）４４と、吸収性コア４３の非肌対向面側に位置する疎水性又は難透液性の繊維不織布から形成されたバックシート４５と、吸収性コア４３とバックシート４５との間に配置された、少なくとも吸収性コア４３のバックシート４５と対向する面全体を被覆する大きさを有する不透液性の防漏シート４６とを含む。身体側ライナ４４とバックシート４５には、ＳＭＳ繊維不織布やスパンボンド不織布等の各種公知の繊維不織布を用いることができる。
【００４３】
吸収性コア４３は、所要量の超吸収性ポリマー粒子とフラッフパルプとを混合したものであって、おむつ１０を構成する内外層シート２１〜２４等のシート部材に比して剛性の高い半剛性を有する。また、吸収性コア４３は、縦方向Ｙにおける中央部が幅狭状を有するパネル形態をなすものであって、その全体がティッシュ等の液拡散性シートで被包されている。
【００４４】
身体側ライナ４４とバックシート４５は、吸収性コア４３の縦方向Ｙの両端部から外側へ延出し、その延出した部分どうしが互いに重ね合わされてホットメルト接着剤（図示せず）を介して接合されることによって、吸収性コア４３の両端部から縦方向Ｙの外側へ延出する一対の前エンドフラップ５３および後エンドフラップ５４が形成される。前ウエスト域１３において、吸収シャーシ１２の前端縁５３ａと吸収性コア４３の前端縁４３ａとの間には、身体側ライナ（内面シート）４４とバックシート（外面シート）４５によって形成される前エンドフラップ５３が位置する。後ウエスト域１４において、吸収シャーシ１２の後端縁５３ｂと吸収性コア４３の後端縁４３ｂとの間には、身体側ライナ（内面シート）４４とバックシート（外面シート）４５によって形成される後エンドフラップ５４が位置する。
【００４５】
バックシート４５は、防漏シート４６の両側縁から横方向Ｘの外側に位置する両側部４７を有する。両側部４７は、防漏シート４６の両側縁に位置して縦方向Ｙへ延びる折曲ラインにそって肌対向面側へ折曲され、身体側ライナ４４に固定されて縦方向へ互いに離隔する両端固定部４８と、身体側ライナ４４の両側縁部および防漏シート４６の両側縁部に固定される近位縁部４９と、両端固定部の間において縦方向へ延び、かつ近位縁部と並行して縦方向へ延びる遠位縁部５０（自由縁部）とを有する。
【００４６】
遠位縁部５０は、バックシート４５の外側縁部を折り曲げて固定することによって形成されたスリーブ状をなし、縦方向へ延びる複数条のストリング状またはストランド状のカフ弾性体５１が伸長状態で収縮可能な態様でバックシート４５に固定してある。カフ弾性体５１が収縮することによって、遠位縁部５０が身体側ライナ４４から着用者の身体側へ離れて防漏カフを形成し、着用者の大腿部にフィットして排泄物の漏れを防止する。バックシート４５の両側部４７であって、防漏カフの横方向Ｘの外側には、縦方向Ｙへ延びる複数条のストリング状またはストランド状のレッグ弾性体５２が伸長状態で収縮可能な態様でバックシート４５に固定してある。
【００４７】
このおむつ１０の前ウエスト域１３は、ウエスト開口縁１９ａと吸収シャーシ１２の前端縁５３ａとの間に位置し、伸縮性シート３０によって弾性を有する第１弾性域７１を有するため、伸縮性シート３０の伸縮力によって第１弾性域７１の全域を着用者の肌に押し当てることができ、第１弾性域７１が局所的に着用者の肌に押し当てられることを防止することができる。これによって、着用者の脚の動作に応じて吸収シャーシ１２が縦方向Ｙへ移動しても、ウエスト開口縁１９ａ側に位置する第１弾性域７１が着用者の肌を滑り、第１弾性域７１がめくれること防止することができる。しかも、伸縮性シート３０の伸縮力によって、第１弾性域７１の全域を着用者の肌に押し当てることができ、局所的に着用者の肌に第１弾性域７１が当たることによって生じる肌トラブルの発生を防止することができる。加えて、第１弾性域７１よりも伸長応力が大きい第２弾性域７２が、吸収シャーシ１２の前端縁５３ａと吸収性コア４３の前端縁４３ａとの間に位置するため、吸収シャーシ１２が縦方向へ移動するのを抑え、おむつ１０の位置がずれるのを防止することができる。
【００４８】
加えて、第２弾性域７２および第３弾性域７３は、横方向Ｘへ延びる糸状またはリボン状の前ウエスト弾性体（第２ウエスト弾性体）２７によって画成してあるため、前ウエスト弾性体２７が存在する個所において局所的に伸縮力を大きくし、吸収シャーシ１２がずれるのを防止することができる。
【００４９】
さらに、前ウエスト域１３のウエスト開口縁１９ａには、図４に示すように、接着剤（固定部）６４ａが存在しない非固定域６５を形成してあるため、前ウエスト域１３のウエスト開口縁１９ａの剛性が大きくなることを抑え、はき心地を向上することができる。
【００５０】
また、前ウエスト域１３において、複数条の前上方ウエスト弾性体２７Ａのうち縦方向Ｙにおける最もウエスト開口縁１９ａに近接する前上方ウエスト弾性体２７ａと、吸収シャーシ１２の前端縁５３ａとが離隔しているため、局所的に剛性の大きい箇所ができるのを防止でき、はき心地を向上することができる。
【００５１】
さらに、前ウエスト域１３において、複数条の前下方ウエスト弾性体２７Ｂのうち縦方向Ｙにおける最もウエスト開口縁１９ａに近接する前下方ウエスト弾性体２７ｂは、伸縮性シート３０と中間シート３８，３９とが離隔している領域に配置してあるため、剛性の小さい箇所に前下方ウエスト弾性体２７ｂを配置し、吸収シャーシ１２が縦方向Ｙへ移動するのを抑えることができる。
【００５２】
また、前ウエスト域１３におけるウエスト開口縁１９ａ側の伸長応力より、後ウエスト域１４におけるウエスト開口縁１９ａ側の伸長応力が大きくなるように、後上方ウエスト弾性体２８Ａの繊度、伸長倍率、各弾性体間の離隔寸法（ピッチ）等を設定すれば、背中側に後ウエスト域１４を当接させ、おむつ１０が位置ずれすることを防止することができる。
【００５３】
図７は、本発明に係るおむつ１０の第１変形例の前ウエスト域１３を示す図３と同様の図であり、図８は、図７に示すＶＩＩＩ−ＶＩＩＩ線に沿う断面図である。前ウエスト域１３は、縦方向Ｙへ延びる第１部分８１と、第１部分８１よりも剛性が小さくて第１部分８１から外れた第２部分８２とを有している。このおむつ１０の前ウエスト域１３は、直線状の第１部分８１（縦方向Ｙへ連続して延びる第１部分８１）と、直線状の第２部分８２（縦方向Ｙへ連続して延びる第２部分８２）とを横方向Ｘにおいて交互に配置してある。第１部分８１の縦方向Ｙの長さ寸法は、例えば１０〜５０ｍｍが好ましく、任意に選択した一つの第１部分８１と、該第１部分８１に隣接する他の第１部分８１との横方向Ｘの間隔は、例えば５〜４０ｍｍである。
【００５４】
第１部分８１は、内層シートと外層シートと伸縮性シート３０とを固定した部分である。第１部分８１において、内層シート２１と外層シート２３と伸縮性シート３０とは、例えば、熱エンボス加工、ソニック等による各種の熱溶着手段、ホットメルト接着剤等による各種の接着手段によって固定される。第２部分８２は、内層シート２１と外層シート２３と伸縮性シート３０とを固定していない部分である。縦方向Ｙにおいて、第１部分８１は、吸収性コア４３と重ならないようウエスト開口縁１９ａ側にのみ配置してあり、クロッチ域１５側には配置していない。
【００５５】
このおむつ１０によれば、第２部分８２よりも剛性の大きい第１部分８１が縦方向へ延びるため、ウエスト開口縁１９ａ側が折れ曲がるときに第１部分８１が抵抗となり、ウエスト開口縁１９ａ側がめくれるのを防止することができるとともに、ウエスト開口縁１９ａ側に多数のシワが発生することを防止することができる。
【００５６】
加えて、伸縮性シート３０が横方向Ｘへ収縮することによって第２部分８２が着用者の肌から離れるように膨らむため、前ウエスト域１３の肌対向面と、着用者の肌との接触面積を小さくすることができ、ウエスト開口縁１９ａ側がめくれるのを防止することができる。
【００５７】
さらに、縦方向Ｙにおいて、第１部分８１は、吸収性コア４３と重ならないようウエスト開口縁１９ａ側にのみ配置してあるため、前ウエスト域１３において剛性の大きさが異なる部位を少なくし、飲食等によって膨らんだ腹部に沿って前ウエスト域１３を着用者の肌に当接させることができる。
【００５８】
図９は、本発明に係るおむつ１０の第２変形例の前ウエスト域１３を示す図３と同様の図である。前ウエスト域は、点状の第１部分８３を縦方向Ｙへ沿って直線状に配置してある。
【００５９】
このおむつ１０によれば、点状の第１部分８３が縦方向Ｙにおいて間隔をおいて配置してあるため、縦方向Ｙにおいて、任意に選択した一つの第１部分８３と該第１部分８３に隣接する他の第１部分８３との間に位置する第２部分８２において、伸縮性シート３０の伸縮性が横方向Ｘへ連続し、おむつ１０のフィット性が低下するのを抑えることができる。
【００６０】
図１０は、本発明に係るおむつ１０の第３変形例の前ウエスト域１３を示す図３と同様の図である。前ウエスト域１３は、横方向Ｘの中央に位置する中央域８４と、中央域８４の横方向Ｘの両側に位置する両側域８５とを有している。横方向Ｘにおいて、両側域８５の第１部分８１の間隔が、中央域８４の第１部分８１の間隔よりも大きくなるように第１部分８１および第２部分８２を配置してある。中央域８４の横方向Ｘの寸法は、例えば、吸収性コア４３の横方向Ｘの寸法と同一であり、横方向Ｘにおいて、中央域８４と吸収性コア４３とが重なるように位置している。両側域８５は、横方向Ｘにおいて、例えば、吸収性コア４３から外れるように位置している。
【００６１】
このおむつ１０によれば、中央域８４の剛性が両側域８５の剛性よりも大きいため、ウエスト開口縁１９ａ側の中央域８４がめくれようとする力を抑え、中央域８４がめくれるのを防止することができる。しかも、中央域８４の剛性が、両側域８５の剛性よりも大きいため、ウエスト開口縁１９ａ側がめくれる力が横方向Ｘへ伝達するのを抑え、ウエスト開口縁１９ａ側の中央域がめくれるのを防止することができる。
【００６２】
図１１は、本発明に係るおむつ１０の第４変形例の前ウエスト域１３を示す図３と同様の図である。伸縮性シート３０は、前ウエスト域１３の横方向Ｘの中央に位置するシート中央域８６と、前ウエスト域１３の横方向Ｘの両側に位置するシート両側域８７とを有し、シート中央域８６の伸長応力が、シート両側域８７の伸長応力よりも小さくなるようにシート中央域８６に応力低減部８８を有する。応力低減部８８は、例えば、シート中央域８６に位置するスリットおよび孔によって形成することができる。また、応力低減部８８は、伸縮性シート３０のシート中央域８６に、熱エンボス加工、ソニック等による各種の熱溶着手段によって形成することができる。
【００６３】
このおむつ１０によれば、シート中央域８６の剛性が、シート両側域８７の剛性よりも小さいため、満腹時の腹部が膨らんだ状態において、腹部が圧迫されるのを抑えることができ、はき心地を向上することができる。
【００６４】
図１２は、本発明におけるおむつの第５変形例の前ウエスト域１３を示す図４と同様の図である。前ウエスト域１３における前ウエスト弾性体２７は、吸収性コア４３の前端縁４３ａのウエスト開口縁１９ａ側に隣接する前上方ウエスト弾性体（第１弾性体）２７ｘと、前端縁４３ａのクロッチ域１５側に隣接する前下方ウエスト弾性体（第２弾性体）２７ｙと、第２弾性体２７ｙのクロッチ域１５側に隣接する前下方ウエスト弾性体（第３弾性体）２７ｚとを有する。第１弾性体２７ｘと第２弾性体２７ｙとは、縦方向Ｙにおいて、吸収性コア４３の前端縁４３ａを挟んで位置している。
【００６５】
例えば、各弾性体の収縮力は、第１弾性体２７ｘの収縮力は０．１２０〜０．１５０Ｎであり、第２弾性体２７ｙの収縮力は０．１６０〜０．２００Ｎであり、第３弾性体２７ｚの収縮力は０．２１０〜０．２６０Ｎである。具体的な実施形態では、例えば、第１弾性体２７ｘの収縮力が０．１３３Ｎであり、第２弾性体２７ｙの収縮力が０．１７８Ｎであり、第３弾性体２７ｚの収縮力が０．２３４Ｎである。
【００６６】
このおむつ１０によれば、吸収性コア４３の前端縁４３ａのクロッチ域１５側およびウエスト開口縁１９ａ側に隣接する第１弾性体２７ｘおよび第２弾性体２７ｙの収縮力が比較的に小さいため、吸収性コア４３の前端縁４３ａの近傍が適度な力で着用者の身体に押し当てられ、吸収性コア４３の前端縁４３ａと吸収シャーシ１２の前端縁５３ａとの間の部分が、身体から離れるように隆起することを防止でき、前ウエスト域１３の位置ずれを防止できる。加えて、第２弾性体２７ｙに隣接する第３弾性体２７ｚの収縮力が、第１弾性体２７ｘおよび第２弾性体２７ｙの収縮力よりも大きいため、吸収性コア４３の前端縁４３ａの近傍が身体に押し当てられ、吸収性コア４３の前端縁４３ａの近傍が身体から離れるのを防止することができる。
【００６７】
＜各弾性体の収縮力の測定方法＞
第１弾性体２７ｘ、第２弾性体２７ｙ、および第３弾性体２７ｚを含む前後ウエスト弾性体２７，２８の収縮力は、前後ウエストパネル１６，１７において、所定幅を有する（縦方向Ｙにおいて所定の長さ寸法を有する）、各弾性体２７，２８を含む領域を短冊状に切り取ることによって以下のように求めることができる。具体的には、例えば、第２弾性体２７ｙの収縮力を測定するときには、まず、弾性ウエストパネル１１から吸収シャーシ１２を取り外した後に、サイドシーム１８を剥離して前ウエストパネル１６と後ウエストパネル１７とを分離する。次に、前ウエストパネル１６の縦方向Ｙにおいて、第１弾性体２７ｘと第２弾性体２７ｙとの間を２等分する部位を横断する第１切断ラインと、第２弾性体２７ｙと第３弾性体２７ｚとの間を２等分する部位を横断する第２切断ラインとに沿って、第２弾性体２７ｙを含む、両側縁１６ｃ，１６ｄ，１７ｃ，１７ｄ間に延びる所定幅の短冊片を切り取って試験片とした。なお、試験片を切り出す前に、おむつ１０を展開してその表面に各弾性体２７，２８の収縮作用によるギャザーがなくなる程度にまで伸長させた状態で、試験片の横方向Ｘの寸法を測定して初期寸法とした。
【００６８】
次に、株式会社島津製作所製のオートグラフ型引張試験機（例えば、ＡＧ−１ＫＮ１）を用いて、各試験片の一方端を固定チャックに挟み、他方端を可動チャックに挟み、３００ｍｍ／ｍｉｎの速度で初期寸法の７５％の大きさまで収縮させたときの引張荷重（Ｎ）を求め、各弾性体の収縮力とした。
【００６９】
各弾性体２７，２８の収縮力は、繊度および伸長倍率によって適宜調整することができる。第１弾性体２７ｘおよび第２弾性体２７ｙの太さは、例えば、３５０〜５５０ｄｔｅｘであり、第３弾性体２７ｚの太さは、５００〜７００ｄｔｅｘである。また、第１弾性体２７ｘは２．１〜２．４倍に伸長された状態で内外層シート２１，２３の少なくとも一方に取り付けられ、第２弾性体２７ｙおよび第３弾性体２７ｚは、２．４〜２．６倍に伸長された状態で内外層シート２１，２３に取り付けられているため、第１弾性体２７ｘの伸長倍率が、第２弾性体２７ｙの伸長倍率および第３弾性体の伸長倍率よりも小さい。吸収性コア４３は、半剛性であるから比較的に剛性が高いものであるところ、第２弾性体２７ｙおよび第３弾性体２７ｚは、平面視において吸収性コア４３と重なっている一方、第１弾性体２７ｘは、平面視において吸収性コア４３と重なっていない。このため、第１弾性体２７ｘは、第２弾性体２７ｙおよび第３弾性体２７ｚと比べて横方向Ｘへ伸長され易く、第１弾性体２７ｘの伸長倍率が大きいときには、前方へ突出する腹部によってウエスト周り方向へ伸長し、第１弾性体２７ｘが存在する部位を身体に強く押し当てる一方、剛性の高い吸収性コア４３の配置された部分と重なる第２弾性体２７ｙおよび第３弾性体２７ｚが伸び難くなっているため、第１弾性体２７ｘと第２弾性体２７ｙとの間の部位が、身体から離れ、隙間が生じることがある。しかしながら、本実施形態においては、第１弾性体２７ｘの伸長倍率が、第２弾性体２７ｙの伸長倍率および第３弾性体２７ｚの伸長倍率よりも小さいため、第１弾性体２７ｘ、第２弾性体２７ｙ、および第３弾性体２７ｚをバランスよく伸長させることによって、上記のような不利益が生じることを防止できる。
【００７０】
なお、上述した実施形態には、第２弾性域７２および第３弾性域７３を、糸状又はリボン状の前ウエスト弾性体２７および後ウエスト弾性体２８によって画成されるおむつ１０を説明した。しかし、この発明は、それに限られず、第２弾性域７２および第３弾性域７３を、上記した伸縮性シート３０とは異なる別の伸縮性シート３０で画成してもよい。
【００７１】
また、上述した実施形態には、内層シート２１と外層シート２３と伸縮性シート３０とを固定した第１部分８１，８３を説明した。しかし、この発明はそれに限られず、第１部分８１，８３は、内層シート２１および外層シート２３のいずれか一方と伸縮性シート３０とが固定されていればよい。
【００７２】
さらに、上述した実施形態には、外層シート２３，２４が主体部２３ａ，２４ａと延出部２３ｂ，２４ｂとを有するおむつ１０を説明した。しかし、この発明はそれに限られず、外層シート２３，２４が延出部２３ｂ，２４ｂを有していなくてもよい。
【００７３】
また、上述した実施形態には、内層シート２１と外層シート２３との間に伸縮性シート３０が位置するおむつ１０を説明した。しかし、この発明はそれに限られず、伸縮性シート３０は、内層シート２１の肌対向面側に位置してもよいし、外層シート２３の非肌対向面側に位置してもよい。
【００７４】
さらに、前ウエスト域１３の肌対向面側に位置する外層シート２３の延出部２３ｂおよび／または内層シート２１にシリコンローション等の摩擦低下手段を塗布することによって、前ウエスト域１３のウエスト開口縁１９ａ側が着用者の肌をすべるようにし、前ウエスト域１３のウエスト開口縁１９ａ側がめくれることを防止してもよい。
【００７５】
また、上述した実施形態には、複数条の前後ウエスト弾性体２７，２８が、配置される位置によって、収縮力、伸長倍率、および太さ等の諸元が異なるおむつ１０を説明した。しかし、この発明は、それに限られず、複数条の前後ウエスト弾性体２７，２８の諸元が同一であってもよい。
【００７６】
上述した実施形態のおむつ１０の構成、および第１変形例〜第５変形例のおむつ１０の構成は、適宜、組み合わせることができる。
【００７７】
おむつ１０を構成する部材には、特に明記されていない限りにおいて、本明細書に記載されている材料のほかに、この種の分野において通常用いられている公知の材料を制限なく用いることができる。また、本明細書において使用されている「第１」および「第２」等の用語は、同様の要素、位置等を単に区別するために用いてある。
【符号の説明】
【００７８】
１０    使い捨ておむつ（使い捨て着用物品）
１２    吸収シャーシ（吸液構造体）
１３    前ウエスト域
１４    後ウエスト域
１５    クロッチ域
１９    ウエスト開口
１９ａ  ウエスト開口縁
２１    内層シート（繊維不織布で形成されたシート）
２３    外層シート（繊維不織布で形成されたシート）
２７Ａ  前上方ウエスト弾性体（第２ウエスト弾性体）
２７ｘ  第１ウエスト弾性体
２７ｙ  第２ウエスト弾性体
２７ｚ  第３ウエスト弾性体
３０    伸縮性シート（第１ウエスト弾性体）
４３    吸収性コア
４３ａ  前端縁
４４    身体側ライナ（内面シート）
４５    バックシート（外面シート）
５３    前エンドフラップ（前フラップ）
５３ａ  前端縁
７１    第１弾性域
７２    第２弾性域
８１    第１部分
８２    第２部分
８３    第１部分
８４    中央域
８５    両側域
８６    シート中央域
８７    シート両側域
８８    応力低減部
Ｘ      横方向
Ｙ      縦方向
【図１】
2018083077.tif 000003
【図２】
2018083077.tif 000004
【図３】
2018083077.tif 000005
【図４】
2018083077.tif 000006
【図５】
2018083077.tif 000007
【図６】
2018083077.tif 000008
【図７】
2018083077.tif 000009
【図８】
2018083077.tif 000010
【図９】
2018083077.tif 000011
【図１０】
2018083077.tif 000012
【図１１】
2018083077.tif 000013
【図１２】
2018083077.tif 000014